(57)【要約】【課題】ユーザのニーズに応じた外観意匠を形成することを可能にする、建設用外装材を提供すること。【解決手段】建設用外装材２０は、建設物を構成する建設用外装材であって、当該建設用外装材２０の外表面の一部を凹凸状に形成し、外表面の凹凸部分の一部のみに設けられた塗布部５０であって、釉薬が塗布されて焼き付けられることによって形成された塗布部５０を備え、外表面の凹凸部分は、複数の凸部３１を有し、複数の凸部３１を同一形状に形成し、且つ所定方向に沿って並設した。【選択図】図１
2020001994.tif 000002
【特許請求の範囲】
【請求項１】
建設用外装材であって、
当該建設用外装材の外表面の少なくとも一部を凹凸状に形成し、
前記外表面の凹凸部分の一部のみに設けられた塗布部であって、釉薬が塗布されて焼き付けられることによって形成された塗布部を備えた、
建設用外装材。
【請求項２】
前記凹凸部分は、複数の凸部又は凹部を有し、
前記複数の凸部又は凹部を同一形状に形成し、且つ所定方向に沿って並設した、
請求項１に記載の建設用外装材。
【請求項３】
前記釉薬は、
第１の釉薬と、
前記第１の釉薬とは異なる第２の釉薬と、を含み、
前記塗布部は、
第１の釉薬が塗布された第１塗布部と、
前記第１塗布部の光反射率とは異なる第２塗布部であって、第２の釉薬が塗布された第２塗布部と、を含む、
請求項１又は２に記載の建設用外装材。
【請求項４】
前記外表面の一部を凹凸状に形成し、前記外表面の他の一部を平坦状に形成した、
請求項１から３のいずれか一項に記載の建設用外装材。
【発明の詳細な説明】
【技術分野】
【０００１】
本発明は、建設用外装材に関する。
【背景技術】
【０００２】
従来、タイルの色相を視線角度によって異ならせる技術の一つとして、タイルの外表面を凹凸状に形成し、この外表面の凹凸部分全体に釉薬を塗布する技術が提案されている。
【先行技術文献】
【特許文献】
【０００３】
【特許文献１】特開平６−１７２０６３号公報
【発明の概要】
【発明が解決しようとする課題】
【０００４】
しかしながら、上記従来の技術においては、上述したように、タイルの外表面の凹凸部分全体に釉薬を塗布するので、例えば、日射角度、照明角度、又は視線角度に応じて凹凸部分の一部と凹凸部分の他の一部との明暗差を生じさせにくくなる可能性があることから、ユーザのニーズに応じた外観意匠を形成する観点からは改善の余地があった。
【０００５】
本発明は、上記に鑑みてなされたものであって、ユーザのニーズに応じた外観意匠を形成することを可能にする、建設用外装材を提供することを目的とする。
【課題を解決するための手段】
【０００６】
上述した課題を解決し、目的を達成するために、請求項１に記載の建設用外装材は、建設用外装材であって、当該建設用外装材の外表面の少なくとも一部を凹凸状に形成し、前記外表面の凹凸部分の一部のみに設けられた塗布部であって、釉薬が塗布されて焼き付けられることによって形成された塗布部を備えた。
【０００７】
請求項２に記載の建設用外装材は、請求項１に記載の建設用外装材において、前記凹凸部分は、複数の凸部又は凹部を有し、前記複数の凸部又は凹部を同一形状に形成し、且つ所定方向に沿って並設した。
【０００８】
請求項３に記載の建設用外装材は、請求項１又は２に記載の建設用外装材において、前記釉薬は、第１の釉薬と、前記第１の釉薬とは異なる第２の釉薬と、を含み、前記塗布部は、第１の釉薬が塗布された第１塗布部と、前記第１塗布部の光反射率とは異なる第２塗布部であって、第２の釉薬が塗布された第２塗布部と、を含む。
【０００９】
請求項４に記載の建設用外装材は、請求項１から３のいずれか一項に記載の建設用外装材において、前記外表面の一部を凹凸状に形成し、前記外表面の他の一部を平坦状に形成した。
【発明の効果】
【００１０】
請求項１に記載の建設用外装材によれば、当該建設用外装材の外表面の少なくとも一部を凹凸状に形成し、外表面の凹凸部分の一部のみに設けられた塗布部であって、釉薬が塗布されて焼き付けられることによって形成された塗布部を備えたので、従来技術（タイルの外表面の凹凸部分全体に釉薬を塗布する技術）に比べて、当該建設用外装材の外表面において、凹凸部分の陰影効果に加えて塗布部と塗布部以外の部分との光反射率を異ならせることができ、日射角度、照明角度、又は視線角度等に応じて当該建設用外装材の外表面の明暗差を生じさせることができる。また、経年変化によって当該建設用外装材の外表面において塗布部以外の部分が塗布部よりも外観の変化が生じやすくなることから、日射角度、照明角度、又は視線角度等に応じて当該建設用外装材の外表面の明暗差を一層生じさせることができる。以上のことから、ユーザのニーズに応じた外観意匠（例えば、趣のある外観意匠等）を形成することが可能となる。
【００１１】
請求項２に記載の建設用外装材によれば、凹凸部分は、複数の凸部又は凹部を有し、複数の凸部又は凹部を同一形状に形成し、且つ所定方向に沿って並設したので、例えば、複数の凸部及び凹部を異なる形状に形成し、又は不規則に配置する場合に比べて、当該建設用外装材の外観意匠の均一性を確保しやすくなるため、ユーザのニーズに応じた外観意匠を一層形成しやすくなる。
【００１２】
請求項３に記載の建設用外装材によれば、塗布部が、第１の釉薬が塗布された第１塗布部と、第１塗布部の光反射率とは異なる第２塗布部であって、第２の釉薬が塗布された第２塗布部と、を含むので、第１塗布部と第２塗布部との光反射率を異ならせることができ、日射角度、照明角度、又は視線角度等に応じて当該建設用外装材の外表面の明暗差をさらに一層生じさせることができる。よって、ユーザのニーズに応じた外観意匠をさらに一層形成しやすくなる。
【００１３】
請求項４に記載の建設用外装材によれば、当該建設用外装材の外表面の一部を凹凸状に形成し、当該建設用外装材の外表面の他の一部を平坦状に形成したので、当該建設用外装材の外表面全体を凹凸状に形成する場合に比べて、当該建設用外装材の外表面において、凹凸部分と平坦部分との陰影効果に加えて塗布部と塗布部以外の部分との光反射率を異ならせることができ、日射角度、照明角度、又は視線角度等に応じて当該建設用外装材の外表面の明暗差をさらに一層生じさせることができる。よって、ユーザのニーズに応じた外観意匠（例えば、文字やビルの象徴サインを日照変化に応じて変化する外観意匠等）をさらに一層形成しやすくなる。
【図面の簡単な説明】
【００１４】
【図１】本発明の実施の形態１に係る外壁を概念的に示す図であり、（ａ）は正面図、（ｂ）は（ａ）のＡ−Ａ矢視断面図である。
【図２】第１タイルを示す図であり、（ａ）は正面図、（ｂ）は平面図である。
【図３】外壁よりも左方側に位置する光源から外壁に向けて光が差している場合に、外壁よりも左方側に位置するユーザが外壁を見ている状態を示す図である。
【図４】外壁よりも左方側に位置する光源から外壁に向けて光Ｌが差している場合に、外壁よりも右方側に位置するユーザが外壁を見ている状態を示す図である。
【図５】外壁の製造方法のうち塗布工程を示す図である。
【図６】外壁の製造方法のうち形成工程を示す図である（一部断面図で示す）。
【図７】実施の形態２に係る建設用外装材を概念的に示す図であり、（ａ）は正面図、（ｂ）は（ａ）のＢ−Ｂ矢視断面図である。
【図８】建設用外装材の製造方法のうち形成工程を示す図である。
【図９】建設用外装材の製造方法のうち塗布工程を示す図である（一部断面図で示す）。
【図１０】実施の形態１に係る第１タイルの変形例を示す図であり、（ａ）は平面図、（ｂ）は平面図である。
【図１１】実施の形態１に係る第１タイルの変形例を示す図であり、（ａ）は平面図、（ｂ）は平面図、（ｃ）は平面図、（ｄ）は平面図、（ｅ）は平面図である。
【図１２】実施の形態１に係る第１タイルの変形例を示す図であり、（ａ）は正面図、（ｂ）は正面図、（ｃ）は正面図である。
【図１３】実施の形態１に係る第１タイルの変形例を示す図であり、（ａ）は平面図、（ｂ）は平面図、（ｃ）は平面図である。
【図１４】実施の形態１に係る第１タイルの変形例を示す図であり、（ａ）は正面図、（ｂ）は正面図、（ｃ）は正面図である。
【図１５】実施の形態１に係る第１タイルの変形例を示す図であり、（ａ）は正面図、（ｂ）は正面図である。
【図１６】実施の形態１に係る外壁の変形例を示す図であり、（ａ）は正面図、（ｂ）は（ａ）のＣ−Ｃ矢視断面図である。
【図１７】外壁よりも左方側に位置する光源から外壁に向けて光が差している場合に、外壁よりも左方側に位置するユーザが外壁を見ている状態を示す図である。
【発明を実施するための形態】
【００１５】
以下に添付図面を参照して、この発明に係る建設用外装材の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１６】
〔Ｉ〕実施の形態の基本的概念
まず、実施の形態の基本的概念について説明する。実施の形態は、概略的に、建設物を構成する建設用外装材に関する。ここで、「建設物」の具体的な構造や種類は任意であり、例えば、戸建て住宅、アパートやマンションの如き集合住宅、オフィスビル、商業施設等の建築物や、橋等の土木建設物等を含む概念である。また、「建設用外装材」とは、建設物の外側を装飾するための部材であり、例えば、建設用外装パネルや、外装機能を有する壁、柱、床等を含む概念である。
【００１７】
〔ＩＩ〕実施の形態の具体的内容
次に、実施の形態の具体的内容について説明する。
【００１８】
〔実施の形態１〕
まず、実施の形態１に係る建設用外装材について説明する。この実施の形態１は、建設用外装材を、建設用外装パネルとした形態である。
【００１９】
（構成）
最初に、実施の形態１に係る建設用外装材が適用される外壁の構成について説明する。図１は、本発明の実施の形態１に係る外壁を概念的に示す図であり、（ａ）は正面図、（ｂ）は（ａ）のＡ−Ａ矢視断面図である。以下の説明では、図１のＸ方向を外壁の左右方向（−Ｘ方向を外壁の左方向、＋Ｘ方向を外壁の右方向）、図１のＹ方向を外壁の前後方向（＋Ｙ方向を外壁の前方向、−Ｙ方向を外壁の後方向）、図１のＺ方向を外壁の上下方向（＋Ｚ方向を外壁の上方向、−Ｚ方向を外壁の下方向）と称する。外壁１は、建設物（例えば、オフィスビル等）を構成する壁のうち建設物の屋外側に位置する壁であり、図１に示すように、外壁本体１０、及び建設用外装材２０を備えている。
【００２０】
（構成−外壁本体）
次に、外壁本体１０の構成について説明する。外壁本体１０は、外壁１の基本構造体である。この外壁本体１０は、例えばコンクリート製（一例として、鉄筋コンクリート製、プレストレストコンクリート製）の長尺な矩形状の板状体にて形成されており、図１に示すように、長手方向が上下方向に沿うように設けられ、図示しない設置対象（例えば、床部等）に対して固定されている。
【００２１】
（構成−建設用外装材）
次に、建設用外装材２０の構成について説明する。建設用外装材２０は、図１に示すように、外壁本体１０よりも外側において外壁本体１０の外表面１０ａ全体（図１（ａ）では、前面全体）を覆うように設けられており、第１タイル３０、第２タイル４０、及び塗布部５０を備えている。
【００２２】
（構成−建設用外装材−第１タイル）
図２は、第１タイル３０を示す図であり、（ａ）は正面図、（ｂ）は平面図である。第１タイル３０は、建設用外装材２０を構成するタイルである。この第１タイル３０は、例えば公知の外装タイル材（一例として、矩形状のタイル材）を用いて構成され、図１に示すように、外壁本体１０の外表面１０ａの一部（図１（ａ）では、一点鎖線でハッチングされている領域Ｔ１）を覆うように複数敷設されており、具体的には、各第１タイル３０の内表面３０ｂ（図１（ｂ）では、後面）が外壁本体１０の外表面１０ａと当接するように設けられている。
【００２３】
また、第１タイル３０の具体的な構成については、実施の形態１では、建設用外装材２０の外表面の一部を凹凸状にするために、第１タイル３０の外表面３０ａ全体（図２（ｂ）では、前面全体）が凹凸状に形成されている。より具体的には、図２（ｂ）に示す第１タイル３０の平面形状からすると、第１タイル３０の凹凸部分は、複数の凸部３１（具体的には、正面形状が長方形状となる凸部３１）を有している。ここで、複数の凸部３１は、同一形状に形成され、且つ所定方向（図２では、左右方向）に沿って並設されている。また、図２に示すように、これら複数の凸部３１の各々は、先端側の頂角が直角となる直角二等辺三角柱状に形成されている。また、これら複数の凸部３１の各々の突出長さについては任意であるが、例えば、第１タイル３０の外表面３０ａと第２タイル４０との明暗差を所望量に設定する場合には、実験結果や解析結果等により設定してもよい。このような構成により、例えば、上記複数の凸部３１を異なる形状に形成し、若しくは不規則に配置し、又は上記外表面３０ａの凹凸部分の凸部３１を他の三角柱状（ただし、二等辺三角柱状を除く）に形成した場合に比べて、建設用外装材２０の外観意匠の均一性を確保しやすくなる。
【００２４】
（構成−建設用外装材−第２タイル）
図１に戻り、第２タイル４０は、建設用外装材２０を構成するタイルである。この第２タイル４０は、例えば第１タイルの材質と同様の公知のタイル材（一例として、矩形状のタイル材）を用いて構成され、図１に示すように、外壁本体１０の外表面１０ａの他の一部（図１（ａ）では、ハッチングされていない領域Ｔ２）を覆うように複数敷設されており、具体的には、各第２タイル４０の内表面４０ｂ（図１（ｂ）では、後面）が外壁本体１０の外表面１０ａと当接するように設けられている。
【００２５】
また、第２タイル４０の具体的な構成については、実施の形態１では、建設用外装材２０の外表面の他の一部を平坦状にするために、図１に示すように、第２タイル４０の外表面４０ａ全体（図１（ｂ）では、前面全体）が平坦状に形成されている。
【００２６】
このような構成により、上述したように、第１タイル３０の材質と第２タイル４０の材質が同じであるので、第１タイル３０の外表面３０ａのうち後述する塗布部５０以外の部分と第２タイル４０の外表面４０ｂとの光反射率の差が生じることを回避できる。
【００２７】
（構成−建設用外装材−塗布部）
図１に戻り、塗布部５０は、釉薬が塗布される部分である。ここで、「釉薬」とは、建設用外装材２０の光反射率を調整するための薬品を意味し、実施の形態１では、建設用外装材２０の光反射率を高める釉薬として説明する。
【００２８】
この塗布部５０は、図１、図２に示すように、第１タイル３０の外表面３０ａに設けられており、具体的には、例えば外装タイル材用の釉薬（具体的には、１種類の釉薬）が第１タイル３０の外表面３０ａに塗布されて焼き付けられることによって形成されている。ここで、釉薬の塗布量について任意であるが、例えば、均一な塗布部５０を形成する観点から、可能な限り少なく設定することが望ましいが、釉薬の種類や第１タイル３０の種類等に応じて異なり得ることから、一例として、実験結果や解析結果等により設定してもよい。
【００２９】
また、塗布部５０の設置方法については、実施の形態１では、第１タイル３０の外表面３０ａの凹凸部分の一部のみに設けており、具体的には、図２に示すように、上記外表面３０ａの凹凸部分の凸部３１の側面のうち左側斜面のみに設けている。これにより、建設用外装材２０の外表面（特に、第１タイル３０の外表面３０ａ）のうち塗布部５０と塗布部５０以外の部分との光反射率を異ならせることができ、日射角度、照明角度、又は視線角度に応じて第１タイル３０の外表面３０ａの明暗差を生じさせることができる。
【００３０】
以上のような外壁１により、従来技術（タイルの外表面の凹凸部分全体に釉薬を塗布する技術）に比べて、建設用外装材２０の外表面において、凹凸部分の陰影効果に加えて塗布部５０と塗布部５０以外の部分との光反射率を異ならせることができ、日射角度、照明角度、又は視線角度等に応じて建設用外装材２０の外表面の明暗差を生じさせることができる。また、経年変化によって建設用外装材２０の外表面において塗布部５０以外の部分が塗布部５０よりも外観の変化が生じやすくなることから、日射角度、照明角度、又は視線角度等に応じて建設用外装材２０の外表面の明暗差を一層生じさせることができる。以上のことから、ユーザのニーズに応じた外観意匠（例えば、趣のある外観意匠等）を形成することが可能となる。また、第１タイル３０の構成と第２タイル４０の構成とを異ならせているので（すなわち、建設用外装材２０の外表面の一部を凹凸状に形成し、建設用外装材２０の外表面の他の一部を平坦状に形成したので）、第１タイル３０の外表面３０ａ全体及び第２タイル４０の外表面全体（すなわち、建設用外装材２０の外表面全体）を凹凸状に形成する場合に比べて、建設用外装材２０の外表面において、凹凸部分と平坦部分との陰影効果に加えて塗布部５０と塗布部５０以外の部分との光反射率を異ならせることができ、日射角度、照明角度、又は視線角度等に応じて建設用外装材２０の外表面の明暗差をさらに一層生じさせることができる。よって、ユーザのニーズに応じた外観意匠（例えば、文字やビルの象徴サインを日照変化に応じて変化する外観意匠等）を一層形成しやすくなる。
【００３１】
（建設用外装材の作用）
次に、このように構成された外壁１の建設用外装材２０の作用について説明する。この建設用外装材２０の作用は、外壁１よりも左方側に位置するユーザが外壁１を見ている状態に対応する作用（以下、「第１作用」と称する）と、外壁１よりも右方側に位置するユーザが外壁１を見ている状態に対応する作用（以下、「第２作用」と称する）とに大別される。以下、第１作用と第２作用とのそれぞれについて説明する。
【００３２】
（建設用外装材の作用−第１作用）
まず、第１作用について説明する。図３は、外壁１よりも左方側に位置する光源から外壁１に向けて光Ｌが差している場合に、外壁１よりも左方側に位置するユーザが外壁１を見ている状態を示す図である。なお、第１作用においては、外壁１よりも左方側に位置するユーザからは、建設用外装材２０の外表面のうち領域Ｔ１の塗布部５０に対応する部分と領域Ｔ２（第２タイル４０）とを見ることができるものの、領域Ｔ１の塗布部５０に対応しない部分が見えにくくなる。よって、ここでは、上記領域Ｔ１の塗布部５０に対応しない部分は、上記領域Ｔ１と上記領域Ｔ２との明暗差に影響を及ぼさないものとして取り扱う。
【００３３】
例えば、外壁１よりも左方側に位置する光源（例えば、太陽）から外壁１に向けて光Ｌが差している場合には、図３に示すように、上記領域Ｔ１の塗布部５０に対応する部分及び上記領域Ｔ２に光が当たることになるが、塗布部５０の光反射率が第２タイル４０の光反射率よりも高いことにより、ユーザからは上記領域Ｔ１の塗布部５０に対応する部分が光って見えるものの上記領域Ｔ２が暗く見えることから、上記領域Ｔ１の塗布部５０に対応する部分と上記領域Ｔ２とで明暗差を生じさせることができる。一方で、外壁１よりも右方側に位置する光源から外壁１に向けて光Ｌが差している場合には、上記領域Ｔ２に光が当たるものの上記領域Ｔ１の塗布部５０に対応する部分に光が当たらないことにより、ユーザからは上記領域Ｔ２が光って見えるものの上記領域Ｔ１の塗布部５０に対応する部分が暗く見えることから、上記領域Ｔ１の塗布部５０に対応する部分と上記領域Ｔ２とで明暗差を生じさせることができる。
【００３４】
（建設用外装材の作用−第２作用）
次に、第２作用について説明する。図４は、外壁１よりも左方側に位置する光源から外壁１に向けて光Ｌが差している場合に、外壁１よりも右方側に位置するユーザが外壁１を見ている状態を示す図である。なお、第２作用においては、外壁１よりも右方側に位置するユーザからは、上記領域Ｔ１の塗布部５０に対応しない部分と上記領域Ｔ２とを見ることができるものの、上記領域Ｔ１の塗布部５０に対応する部分が見えにくくなる。よって、ここでは、上記領域Ｔ１の塗布部５０に対応する部分は、上記領域Ｔ１と上記領域Ｔ２との明暗差に影響を及ぼさないものとして取り扱う。
【００３５】
例えば、外壁１よりも左方側に位置する光源から外壁１に向けて光Ｌが差している場合には、図４に示すように、上記領域Ｔ２に光が当たるものの上記領域Ｔ１の塗布部５０に対応しない部分に光が当たらないことにより、ユーザからは上記領域Ｔ２が光って見えるものの上記領域Ｔ１の塗布部５０に対応しない部分が暗く見えることから、上記領域Ｔ１の塗布部５０に対応しない部分と上記領域Ｔ２とで明暗差を生じさせることができる。一方で、外壁１よりも右方側に位置する光源から外壁１に向けて光Ｌが差している場合には、上記領域Ｔ１の塗布部５０に対応しない部分及び上記領域Ｔ２に光が当たることになるが、上述したように、上記領域Ｔ１の塗布部５０に対応しない部分と上記領域Ｔ２との光反射率の差は生じないので、ユーザからは上記領域Ｔ１の塗布部５０に対応しない部分と上記領域Ｔ２とが略同一に光って見えることから、上記領域Ｔ１の塗布部５０に対応しない部分と上記領域Ｔ２とで明暗差がなくなる（あるいは、上記領域Ｔ２に入射した光Ｌが左方側に向けて反射するので、ユーザからは上記領域Ｔ２が若干暗く見えることで、上記領域Ｔ１の塗布部５０に対応しない部分と上記領域Ｔ２とで明暗差を生じさせる可能性がある）。
【００３６】
（外壁の製造方法）
続いて、外壁１の製造方法について説明する。図５は、外壁１の製造方法のうち塗布工程を示す図である。図６は、外壁１の製造方法のうち形成工程を示す図である（一部断面図で示す）。実施の形態１に係る外壁１の製造方法は、塗布工程、焼付工程、及び形成工程を含んでいる。
【００３７】
（外壁の製造方法−塗布工程）
まず、塗布工程について説明する。塗布工程は、工場等で製造された第１タイル３０に釉薬を塗布する工程である。具体的には、図５に示すように、まず、コンベア６０（例えば、公知のベルトコンベア）上に第１タイル３０を載置して、釉薬Ｍを噴射する少なくとも１つ以上の噴射装置６１（例えば、公知の噴射装置）の近傍位置までコンベア６０によって第１タイル３０を搬送させる。次いで、少なくとも１つ以上の噴射装置６１によって、搬送された第１タイル３０の外表面３０ａにおける凹凸部分の一部（具体的には、上記外表面３０ａの凸部３１の左側斜面）のみに釉薬Ｍを塗布する。その後、コンベア６０によって、釉薬Ｍが塗布された第１タイル３０を焼付工程が行われる位置まで搬送させる。なお、少なくとも１つ以上の噴射装置６１による釉薬Ｍの噴射向き、噴射量、及び噴射速度については、第１タイル３０の外表面３０ａの形状や大きさ、釉薬Ｍの種類、又は噴射装置６１のノズルの径等に応じて異なり得ることから、例えば、実験結果や解析結果等により設定してもよい。また、釉薬Ｍが塗布された第１タイル３０は、必要に応じて所定時間乾燥されてもよい。
【００３８】
（外壁の製造方法−焼付工程）
次に、焼付工程について説明する。焼付工程は、塗布工程において塗布された釉薬を第１タイル３０に焼き付けることにより、塗布部５０を形成する工程である。具体的には、図示しない焼付装置を用いて、上記塗布された釉薬を第１タイル３０に焼き付けることにより、第１タイル３０の外表面３０ａに塗布部５０が形成される。ここで、第１タイル３０の焼付温度や焼付時間については、第１タイル３０の形状や大きさや釉薬の種類等に応じて異なり得ることから、例えば、実験結果や解析結果等により設定してもよい。また、例えば、焼付工程が行われる場所と形成工程が行われる場所とが異なる場合には、複数の第１タイル３０を所定のケースにパッケージングすることにより、形成工程が行われる場所まで搬送させてもよい。この場合には、例えば、形成工程において塗布部５０の位置及び方向を区別できるように、第１タイル３０の内表面３０ｂ等にマーキングしておくことが望ましい。
【００３９】
（外壁の製造方法−形成工程）
続いて、形成工程について説明する。形成工程は、焼付工程にて焼き付けされた第１タイル３０及び工場等で製造された第２タイル４０を複数敷設した状態で、これら第１タイル３０の内表面３０ｂ上と第２タイル４０の内表面４０ｂ上とに外壁本体１０を形成する工程である。具体的には、図６に示すように、まず、上記第１タイル３０の外表面３０ａ及び上記第２タイル４０の外表面４０ａが型枠６２の底部と当接するように、これら第１タイル３０及び第２タイル４０を型枠６２内に複数敷設する。次に、型枠６２内において第１タイル３０及び第２タイル４０よりも上方に所定数の鉄筋６３を配筋して、セメント組成物６４（混練物）を打設した後、セメント組成物６４が硬化するまで養生を行う。なお、この養生期間中において、セメント組成物６４の硬化に伴って第１タイル３０及び第２タイル４０の各々とセメント組成物６４とが結合されることになる。その後、型枠６２を撤去することにより、複数敷設した第１タイル３０の内表面３０ｂ上と第２タイル４０の内表面４０ｂ上とに外壁本体１０が形成される。これにて外壁１の製造が終了する。
【００４０】
（実施の形態の効果）
このように実施の形態１によれば、建設用外装材２０の第１タイル３０の外表面３０ａを凹凸状に形成し、外表面３０ａの凹凸部分の一部のみに設けられた塗布部５０であって、釉薬が塗布されて焼き付けられることによって形成された塗布部５０を備えたので、従来技術（タイルの外表面の凹凸部分全体に釉薬を塗布する技術）に比べて、建設用外装材２０の外表面において、凹凸部分の陰影効果に加えて塗布部５０と塗布部５０以外の部分との光反射率を異ならせることができ、日射角度、照明角度、又は視線角度等に応じて建設用外装材２０の外表面の明暗差を生じさせることができる。また、経年変化によって建設用外装材２０の外表面において塗布部５０以外の部分が塗布部５０よりも外観の変化が生じやすくなることから、日射角度、照明角度、又は視線角度等に応じて建設用外装材２０の外表面の明暗差を一層生じさせることができる。以上のことから、ユーザのニーズに応じた外観意匠（例えば、趣のある外観意匠等）を形成することが可能となる。
【００４１】
また、第１タイル３０の外表面３０ａにおける凹凸部分は、複数の凸部３１を有し、複数の凸部３１を同一形状に形成し、且つ所定方向に沿って並設したので、例えば、複数の凸部３１を異なる形状に形成し、又は不規則に配置する場合に比べて、建設用外装材２０の外観意匠の均一性を確保しやすくなるため、ユーザのニーズに応じた外観意匠を一層形成しやすくなる。
【００４２】
また、第１タイル３０の外表面３０ａを凹凸状に形成し、第２タイル４０の外表面４０ａを平坦状に形成したので、第１タイル３０の外表面３０ａ全体及び第２タイル４０の外表面４０ａ全体を凹凸状に形成する場合に比べて、建設用外装材２０の外表面において、凹凸部分と平坦部分との陰影効果に加えて塗布部５０と塗布部５０以外の部分との光反射率を異ならせることができ、日射角度、照明角度、又は視線角度等に応じて建設用外装材２０の外表面の明暗差をさらに一層生じさせることができる。よって、ユーザのニーズに応じた外観意匠（例えば、文字やビルの象徴サインを日照変化に応じて変化する外観意匠等）をさらに一層形成しやすくなる。
【００４３】
〔実施の形態２〕
次に、実施の形態２に係る建設用外装材について説明する。この実施の形態２は、建設用外装材を、外装機能を有する外壁とした形態である。
【００４４】
（構成）
最初に、実施の形態２に係る建設用外装材の構成について説明する。図７は、実施の形態２に係る建設用外装材を概念的に示す図であり、（ａ）は正面図、（ｂ）は（ａ）のＢ−Ｂ矢視断面図である。建設用外装材１００は、建設物を構成する壁のうち建設物の外側に位置する壁であり、図７に示すように、第１外壁本体１１０、第２外壁本体１２０、及び塗布部１３０を備えている。
【００４５】
（構成−第１外壁本体）
第１外壁本体１１０は、例えばコンクリート製（一例として、鉄筋コンクリート製、プレストレストコンクリート製）の板状体にて形成され、図７に示すように、建設用外装材１００の外表面の一部（図７（ａ）では、一点鎖線でハッチングされている領域Ｔ１）に対応するように設けられており、図示しない設置対象（例えば、床部等）に対して固定されている。
【００４６】
また、第１外壁本体１１０の具体的な構成については、実施の形態２では、図７に示すように、実施の形態１に係る第１タイル３０と同様に、第１外壁本体１１０の外表面１１０ａ全体（図７（ｂ）では、前面全体）が凹凸状に形成されている。
【００４７】
（構成−第２外壁本体）
第２外壁本体１２０は、例えばコンクリート製（一例として、鉄筋コンクリート製、プレストレストコンクリート製）の板状体にて形成され、図７に示すように、建設用外装材１００の外表面の他の一部（図７（ａ）では、ハッチングされていない領域Ｔ２）に対応するように設けられており、図示しない設置対象に対して固定されている。
【００４８】
また、第２外壁本体１２０の具体的な構成については、実施の形態２では、図７に示すように、第２外壁本体１２０の外表面１２０ａ全体（図７（ｂ）では、前面全体）が平坦状に形成されている。
【００４９】
（構成−塗布部）
塗布部１３０は、実施の形態１に係る塗布部５０と略同様に構成されており、図７（ｂ）に示すように、第１外壁本体１１０の外表面１１０ａの凹凸部分の一部のみに設けられており、具体的には、上記外表面１１０ａの凹凸部分の凸部１２１の側面のうち左側斜面のみに設けられている。
【００５０】
以上のような建設用外装材１００により、実施の形態１に係る外壁１と同様に、従来技術（タイルの外表面の凹凸部分全体に釉薬を塗布する技術）に比べて、建設用外装材１００の外表面において、凹凸部分の陰影効果に加えて塗布部１３０と塗布部１３０以外の部分との光反射率を異ならせることができ、日射角度、照明角度、又は視線角度等に応じて建設用外装材１００の外表面の明暗差を生じさせることができる。また、経年変化によって建設用外装材１００の外表面において塗布部１３０以外の部分が塗布部１３０よりも外観の変化が生じやすくなることから、日射角度、照明角度、又は視線角度等に応じて建設用外装材１００の外表面の明暗差を一層生じさせることができる。以上のことから、ユーザのニーズに応じた外観意匠（例えば、趣のある外観意匠等）を形成しやすくなる。
【００５１】
（建設用外装材の製造方法）
続いて、建設用外装材１００の製造方法について説明する。図８は、建設用外装材１００の製造方法のうち形成工程を示す図である。図９は、建設用外装材１００の製造方法のうち塗布工程を示す図である（一部断面図で示す）。実施の形態２に係る外壁１の製造方法は、形成工程、塗布工程、及び焼付工程を含んでいる。
【００５２】
（建設用外装材の製造方法−形成工程）
まず、形成工程について説明する。形成工程は、第１外壁本体１１０及び第２外壁本体１２０を形成する工程である。具体的には、図８に示すように、現場等において、型枠１４０内に所定数の鉄筋１４１を配筋して、セメント組成物１４２を打設する。次いで、セメント組成物１４２が硬化するまで養生を行った後、硬化したものを型枠１４０から取り外すことにより、形成する。この場合において、型枠１４０の具体的な構成については任意であるが、例えば、図８に示すように、型枠１４０の底面のうち第１外壁本体１１０に対応する部分を凹凸状に形成し、型枠１４０の底部のうち第２外壁本体１２０に対応する部分を平坦状に形成している。
【００５３】
（建設用外装材の製造方法−塗布工程）
次に、塗布工程について説明する。塗布工程は、形成工程にて形成された第１外壁本体１１０に釉薬を塗布する工程である。具体的には、まず、図９に示すように、上記第１外壁本体１１０及び第２外壁本体１２０を所定の向きに設置する（図９では、上記第１外壁本体１１０の外表面１１０ａ及び第２外壁本体１２０の外表面１２０ａが上方を向くように設置する）。次に、公知のマスキング方法を用いて、上記第１外壁本体１１０の外表面１１０ａのうち釉薬Ｍが塗布されない部分と、第２外壁本体１２０の外表面１２０ａとをマスキング材１４３で行う。次いで、噴射装置１４４を用いて、上記第１外壁本体１１０の外表面１１０ａのうちマスキング材１４３で覆われていない部分に釉薬Ｍを塗布し、その後当該塗布した釉薬Ｍがある程度乾燥するまで放置する。その後、第１外壁本体１１０及び第２外壁本体１２０からマスキング材１４３を取り外す。
【００５４】
（建設用外装材の製造方法−焼付工程）
続いて、焼付工程について説明する。焼付工程は、塗布工程において塗布された釉薬を第１外壁本体１１０に焼き付けることにより、塗布部１３０を形成する工程である。具体的には、実施の形態１に係る焼付工程と略同様に、図示しない焼付装置を用いて、上記塗布された釉薬を第１外壁本体１１０に焼き付けることにより、第１外壁本体１１０の外表面１１０ａに塗布部１３０が形成される。これにて建設用外装材１００の製造が終了する。
【００５５】
（実施の形態の効果）
このように実施の形態２によれば、建設用外装材１００の第１外壁本体１１０の外表面１１０ａを凹凸状に形成し、外表面１１０ａの凹凸部分の一部のみに設けられた塗布部１３０であって、釉薬が塗布されて焼き付けられることによって形成された塗布部１３０を備えたので、実施の形態１に係る外壁１と略同様に、従来技術（タイルの外表面の凹凸部分全体に釉薬を塗布する技術）に比べて、建設用外装材１００の外表面において、凹凸部分の陰影効果に加えて塗布部１３０と塗布部１３０以外の部分との光反射率を異ならせることができ、日射角度、照明角度、又は視線角度等に応じて建設用外装材１００の外表面の明暗差を生じさせることができる。また、経年変化によって建設用外装材１００の外表面において塗布部１３０以外の部分が塗布部１３０よりも外観の変化が生じやすくなることから、日射角度、照明角度、又は視線角度等に応じて建設用外装材１００の外表面の明暗差を一層生じさせることができる。以上のことから、ユーザのニーズに応じた外観意匠を形成することが可能となる。
【００５６】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００５７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００５９】
（建設用外装材について）
上記実施の形態１では、建設用外装材２０が、第２タイル４０を備えていると説明したが、これに限らず、例えば、第２タイル４０を省略してもよい（すなわち、建設用外装材２０の外表面全体を凹凸状に形成してもよい）。また、上記実施の形態２では、建設用外装材１００が、第２外壁本体１２０を備えていると説明したが、これに限らず、例えば、第２外壁本体１２０を省略してもよい（すなわち、建設用外装材１００の外表面全体を凹凸状に形成してもよい）。
【００６０】
（第１タイル、第１外壁本体について）
上記実施の形態１では、第１タイル３０の外表面３０ａの凹凸部分が、複数の凸部３１のみを有していると説明したが、これに限らない。図１０は、実施の形態１に係る第１タイル３０の変形例を示す図であり、（ａ）は平面図、（ｂ）は平面図である。例えば、複数の凹部のみを備えてもよい。あるいは、複数の凸部３１及び複数の凹部を備えてもよい。あるいは、図１０（ａ）に示すように、平面形状が波形状である柱状の凸部３１と平坦部３３とを組み合わせて形成されてもよい。あるいは、図１０（ｂ）に示すように、平面形状が四角形状である柱状の凸部３１と平坦部３３とを組み合わせて形成されてもよい。なお、実施の形態２に係る第１外壁本体１１０についても、図１０の第１タイル３０の構成と同様に構成されてもよい。
【００６１】
また、上記実施の形態１では、第１タイル３０の外表面３０ａのみが凹凸状に形成されていると説明したが、これに限らない。図１１は、実施の形態１に係る第１タイル３０の変形例を示す図であり、（ａ）は平面図、（ｂ）は平面図、（ｃ）は平面図、（ｄ）は平面図、（ｅ）は平面図である。例えば、図１１に示すように、第１タイル３０全体が凹凸状に形成されると共に、第１タイル３０の厚みが比較的薄く設定されてもよい。一例として、図１１（ａ）に示すように、平面形状が矩形状である柱状の凸部３１と平坦部３３とを組み合わせて形成されてもよく、又は、図１１（ｂ）に示すように、平面形状が台形状である柱状の凸部３１と平坦部３３とを組み合わせて形成されてもよい。あるいは、図１１（ｃ）に示すように、平面形状が矩形状である柱状の凹部３２と平坦部３３とを組み合わせて形成されてもよく、図１１（ｄ）に示すように、平面形状が半円状である柱状の凹部３２と平坦部３３とを組み合わせて形成されてもよく、又は、図１１（ｅ）に示すように、平面形状が台形状である柱状の凹部３２と平坦部３３とを組み合わせて形成されてもよい。なお、実施の形態２に係る第１外壁本体１１０についても、図１１の第１タイル３０の構成と同様に構成されてもよい。
【００６２】
また、上記実施の形態１では、第１タイル３０の凸部３１の平面形状が直角二等辺三角形状であると説明したが、これに限らない。例えば、直角二等辺三角形状以外の多角形状（一例として、先端部が鋭角、鈍角、又は湾曲面取りとなる三角形状、台形状、矩形状、六角形状等）、半円形状、半楕円形状、波形状、波形以外の湾曲状、又はこれらの少なくとも一部を組み合わせた形状であってもよい（なお、第１タイル３０の凹部についても同様とする）。
【００６３】
また、上記実施の形態１では、第１タイル３０の凸部３１の正面形状が長方形状であると説明したが、これに限らず、例えば、長方形状以外の多角形状（一例として、先端部が鋭角、鈍角、又は湾曲面取りとなる三角形状、台形状、矩形状、六角形状等）、半円形状（一例として、端部が面取りされた半円形状）、半楕円形状（一例として、端部が面取りされた半楕円形状）、波形状、波形以外の湾曲状、又はこれらの少なくとも一部を組み合わせた形状であってもよい（なお、第１タイル３０の凹部についても同様とする）。図１２は、実施の形態１に係る第１タイル３０の変形例を示す図であり、（ａ）は正面図、（ｂ）は正面図、（ｃ）は正面図である。一例として、図１２（ａ）に示すように、正面形状が星状、湾曲状（円弧状）、及び円形状となる複数の凸部３１と、平坦部３３（図１２（ａ）では、塗布部５０が設けられている）とを組み合わせることで、第１タイル３０の外表面３０ａにおける凹凸部分が形成されてもよい。また、図１２（ｂ）に示すように、正面形状が矩形状となる複数の凸部３１（図１２（ｂ）では、塗布部５０が設けられている）と、平坦部３３とを組み合わせることで、上記外表面３０ａにおける凹凸部分が形成されてもよい。また、図１２（ｃ）に示すように、正面形状が湾曲状（円弧状）、円形状、及び三角形状となる複数の凸部３１（図１２（ｃ）では、一部の凸部３１に塗布部５０が設けられている）と、平坦部３３とを組み合わせることで、上記外表面３０ａにおける凹凸部分が形成されてもよい。なお、実施の形態２に係る第１外壁本体１１０についても、図１２の第１タイル３０の構成と同様に構成されてもよい。
【００６４】
また、上記実施の形態１では、第１タイル３０の外表面３０ａにおける凹凸部分の凸部３１の各々が、柱状に形成されていると説明したが、これに限らない。例えば、錐状（一例として、正面形状がひし形状の四角錘状、三角錘状、円錐状等）、又は半球状に形成されてもよい。あるいは、柱状、錐状、及び半球状を組み合わせて形成されてもよい（なお、実施の形態２に係る第１外壁本体１１０についても同様とする）。これにより、第１タイル３０の外表面３０ａにおける凹凸部分の凸部３１を、柱状、錐状、又は半球状に形成でき、ユーザのニーズに応じた外観意匠を形成しやすくなる。
【００６５】
また、上記実施の形態１では、第１タイル３０の外表面３０ａにおける凹凸部分の凸部３１が、直角二等辺三角柱状に形成されていると説明したが、これに限らない。例えば、直角二等辺三角形柱状以外の他の柱状（直角二等辺三角形柱状、四角形柱等）であってもよい。図１３は、実施の形態１に係る第１タイル３０の変形例を示す図であり、（ａ）は平面図、（ｂ）は平面図、（ｃ）は平面図である。一例として、図１３（ａ）に示すように、平面形状が波形状である柱状であってもよい。あるいは、図１３（ｂ）に示すように、平面形状が三角形状である柱状であって、凸部３１の表面がギザギザ状である柱状であってもよい。あるいは、図１３（ｃ）に示すように、平面形状が非二等辺三角形である柱状であってもよい。なお、第１タイル３０の凹部及び実施の形態２に係る第１外壁本体１１０についても、図１３の第１タイル３０の構成と同様に構成されてもよい。
【００６６】
また、上記実施の形態１では、第１タイル３０の外表面３０ａにおける凹凸部分の複数凸部３１は、同一形状であると説明したが、これに限らず、それぞれ異なる形状であってもよい。また、上記実施の形態１では、上記複数凸部３１は、正面形状が長方形状になるように形成され、且つ左右方向に沿って並設されていると説明したが、これに限らない。図１４は、実施の形態１に係る第１タイル３０の変形例を示す図であり、（ａ）は正面図、（ｂ）は正面図、（ｃ）は正面図である。図１５は、実施の形態１に係る第１タイル３０の変形例を示す図であり、（ａ）は正面図、（ｂ）は正面図、である。例えば、図１４（ａ）に示すように、上記複数凸部３１は、正面形状が長方形状になるように形成され、且つ上下斜め方向に沿って並設されてもよい。あるいは、図１４（ｂ）に示すように、上記複数凸部３１は、正面形状が湾曲状になるように形成され、且つ左右方向に沿って並設されてもよい。あるいは、図１４（ｃ）に示すように、上記複数凸部３１は、正面形状が波状に形成され、且つ左右方向に沿って並設されてもよい。あるいは、図１５（ａ）に示すように、上記複数凸部３１は、正面形状がくの字状に形成され、且つ左右方向に沿って並設されてもよい。あるいは、図１５（ｂ）に示すように、上記複数凸部３１は、正面形状がＶ字状に形成され、且つ上下方向に沿って並設されてもよい。あるいは、上記複数凸部３１は、千鳥状に配置されてもよく、又は不規則に配置されてもよい。なお、第１タイル３０の凹部及び実施の形態２に係る第１外壁本体１１０についても、図１２又は図１３の第１タイル３０の構成と同様に構成されてもよい。
【００６７】
（第２タイル、第２外壁本体について）
また、上記実施の形態１では、第２タイル４０の外表面４０ａが、平坦状に形成されていると説明したが、これに限らず、例えば、非平坦状（一例として、傾斜状、凹凸状等）に形成されてもよい（なお、実施の形態２に係る第２外壁本体１２０についても同様とする）。
【００６８】
（塗布部について）
上記実施の形態１では、塗布部５０を形成する際に用いられる釉薬は、１種類であると説明したが、これに限らず、例えば、複数の種類であってもよい（なお、実施の形態２に係る塗布部１３０についても同様とする）。図１６は、実施の形態１に係る外壁１の変形例を示す図であり、（ａ）は正面図、（ｂ）は（ａ）のＣ−Ｃ矢視断面図である。図１７は、外壁よりも左方側に位置する光源から外壁に向けて光が差している場合に、外壁よりも左方側に位置するユーザが外壁を見ている状態を示す図である。一例として、釉薬は、第１の釉薬と、第１の釉薬とは異なる第２の釉薬とを含んでもよい。また、塗布部は、第１の釉薬が塗布された第１塗布部５１と、第１塗布部５１の光反射率とは異なる第２塗布部５２（例えば、第１塗布部５１の光反射率が高い第２塗布部５２）であって、第２の釉薬が塗布された第２塗布部５２と、を含んでもよい。この場合には、例えば、図１６に示すように、第１タイル３０の外表面３０ａは、第１塗布部５１に対応する領域Ｔ１１（以下、「第１領域Ｔ１１」と称する）と、第２塗布部５２に対応する領域Ｔ１２（以下、「第２領域Ｔ１２」と称する）とを含むことになる。このような構成により、第１塗布部５１と第２塗布部５２との光反射率を異ならせることができ、日射角度、照明角度、又は視線角度等に応じて建設用外装材２０の外表面の明暗差をさらに一層生じさせることができる。よって、ユーザのニーズに応じた外観意匠を一層形成しやすくなる。例えば、図１６の外壁１よりも左方側に位置する光源から当該外壁１に向けて光が差している場合に、当該外壁１よりも左方側に位置するユーザが当該外壁１を見ると、図１７に示すように、上記領域Ｔ１の塗布部５０に対応する部分及び上記領域Ｔ２に光が当たることになるが、第２塗布部５２の光反射率が第１塗布部５１及び第２タイル４０の光反射率よりも高いことにより、ユーザからは第２領域Ｔ１２、第１領域Ｔ１１、領域Ｔ２の順に明るく見えることから、第１領域Ｔ１１、第２領域Ｔ１２、及び領域Ｔ２とで明暗差を生じさせることができる。
【００６９】
（付記）
付記１の建設用外装材は、当該建設用外装材の外表面の少なくとも一部を凹凸状に形成し、前記外表面の凹凸部分の一部のみに設けられた塗布部であって、釉薬が塗布されて焼き付けられることによって形成された塗布部を備えた。
【００７０】
付記２の建設用外装材は、付記１に記載の建設用外装材において、前記凹凸部分は、複数の凸部又は凹部を有し、前記複数の凸部又は凹部を同一形状に形成し、且つ所定方向に沿って並設した。
【００７１】
付記３の建設用外装材は、付記１又は２に記載の建設用外装材において、前記釉薬は、第１の釉薬と、前記第１の釉薬とは異なる第２の釉薬と、を含み、前記塗布部は、第１の釉薬が塗布された第１塗布部と、前記第１塗布部の光反射率とは異なる第２塗布部であって、第２の釉薬が塗布された第２塗布部と、を含む。
【００７２】
付記４の建設用外装材は、付記１から３のいずれか一項に記載の建設用外装材において、前記外表面の一部を凹凸状に形成し、前記外表面の他の一部を平坦状に形成した。
【００７３】
（付記の効果）
付記１に記載の建設用外装材によれば、当該建設用外装材の外表面の少なくとも一部を凹凸状に形成し、外表面の凹凸部分の一部のみに設けられた塗布部であって、釉薬が塗布されて焼き付けられることによって形成された塗布部を備えたので、従来技術（タイルの外表面の凹凸部分全体に釉薬を塗布する技術）に比べて、当該建設用外装材の外表面において、凹凸部分の陰影効果に加えて塗布部と塗布部以外の部分との光反射率を異ならせることができ、日射角度、照明角度、又は視線角度等に応じて当該建設用外装材の外表面の明暗差を生じさせることができる。また、経年変化によって当該建設用外装材の外表面において塗布部以外の部分が塗布部よりも外観の変化が生じやすくなることから、日射角度、照明角度、又は視線角度等に応じて当該建設用外装材の外表面の明暗差を一層生じさせることができる。以上のことから、ユーザのニーズに応じた外観意匠（例えば、趣のある外観意匠等）を形成することが可能となる。
【００７４】
付記２に記載の建設用外装材によれば、凹凸部分は、複数の凸部又は凹部を有し、複数の凸部又は凹部を同一形状に形成し、且つ所定方向に沿って並設したので、例えば、複数の凸部及び凹部を異なる形状に形成し、又は不規則に配置する場合に比べて、当該建設用外装材の外観意匠の均一性を確保しやすくなるため、ユーザのニーズに応じた外観意匠を一層形成しやすくなる。
【００７５】
付記３に記載の建設用外装材によれば、塗布部が、第１の釉薬が塗布された第１塗布部と、第１塗布部の光反射率とは異なる第２塗布部であって、第２の釉薬が塗布された第２塗布部と、を含むので、第１塗布部と第２塗布部との光反射率を異ならせることができ、日射角度、照明角度、又は視線角度等に応じて当該建設用外装材の外表面の明暗差をさらに一層生じさせることができる。よって、ユーザのニーズに応じた外観意匠をさらに一層形成しやすくなる。
【００７６】
付記４に記載の建設用外装材によれば、当該建設用外装材の外表面の一部を凹凸状に形成し、当該建設用外装材の外表面の他の一部を平坦状に形成したので、当該建設用外装材の外表面全体を凹凸状に形成する場合に比べて、当該建設用外装材の外表面において、凹凸部分と平坦部分との陰影効果に加えて塗布部と塗布部以外の部分との光反射率を異ならせることができ、日射角度、照明角度、又は視線角度等に応じて当該建設用外装材の外表面の明暗差をさらに一層生じさせることができる。よって、ユーザのニーズに応じた外観意匠（例えば、文字やビルの象徴サインを日照変化に応じて変化する外観意匠等）をさらに一層形成しやすくなる。
【符号の説明】
【００７７】
１  外壁
１０  外壁本体
１０ａ  外表面
２０  建設用外装材
３０  第１タイル
３０ａ  外表面
３０ｂ  内表面
３１  凸部
３２  凹部
３３  平坦部
４０  第２タイル
４０ａ  外表面
４０ｂ  内表面
５０  塗布部
５１  第１塗布部
５２  第２塗布部
６０  コンベア
６１  噴射装置
６２  型枠
６３  鉄筋
６４  セメント組成物
１００  建設用外装材
１１０  第１外壁本体
１１０ａ  外表面
１２０  第２外壁本体
１２０ａ  外表面
１２１  凸部
１３０  塗布部
１４０  型枠
１４１  鉄筋
１４２  セメント組成物
１４３  マスキング材
１４４  噴射装置
Ｌ  光源の光
Ｍ  釉薬
Ｔ１  領域
Ｔ１１  第１領域
Ｔ１２  第２領域
Ｔ２  領域
【図１】
2020001994.tif 000003
【図２】
2020001994.tif 000004
【図３】
2020001994.tif 000005
【図４】
2020001994.tif 000006
【図５】
2020001994.tif 000007
【図６】
2020001994.tif 000008
【図７】
2020001994.tif 000009
【図８】
2020001994.tif 000010
【図９】
2020001994.tif 000011
【図１０】
2020001994.tif 000012
【図１１】
2020001994.tif 000013
【図１２】
2020001994.tif 000014
【図１３】
2020001994.tif 000015
【図１４】
2020001994.tif 000016
【図１５】
2020001994.tif 000017
【図１６】
2020001994.tif 000018
【図１７】
2020001994.tif 000019